(57)【要約】【課題】  本発明は、既設の蛍光灯の安定器の種類を容易に判別可能とする機構を有し、長い棒を用いて、蛍光灯にセンサーを取付けた検知部を近付けるのみで、判別作業を容易に行い得るように構成した判別装置を提供する。【解決手段】  ２種類の検知手段を、検出部ヘッドのセンサー部１５に設けておき、作業員が手持ちする判別部３０には、２種類の情報を処理する機構とを設けて構成する。前記判別部３０に設ける２つの信号処理回路３１を各々通して、２Ｖ以上の強さの信号を信号分周ゲート回路３２に向けて出力させ、検知した方式に対応する信号の点滅・断続用の信号と、ＬＥＤを発光させる等して、作業員に情報を知らせるようにする。【選択図】  図５
2010231932.tif 000002
【特許請求の範囲】
【請求項１】
伸縮可能な棒状体の先端部に設けたセンサ部に、光検出用フォトトランジスタと、磁気検出用インダクタの２種類の検出センサを配置し、前記センサ部からの信号線を判別装置に接続するコネクタとを設けた検知部と、
前記判別装置には、個々のセンサ部からの入力交流電圧値が一定の値を越えたとき、入力信号の周波数成分を出力側へ出力させる機能を持つシュミット回路を個々に配し、
前記光検出用フォトトランジスタから、前記シュミット回路へ入力される交流電圧が一定の値を越え、入力信号の周波数成分が出力側へ出力された時は、安定器式と判断し、
前記磁気検出用インダクタから、前記シュミット回路へ入力される交流電圧が一定の値を越え、入力信号の周波数成分が出力側へ出力された時には、インバータ式と判断する動作を行い、
前記判断結果にしたがって、表示部のＬＥＤ等を点灯して光により表示するか、もしくは音により表示する手段を設けた判別装置とを、組合わせて構成し、
任意の高さの位置に設置されている既設の蛍光灯の安定器の種類を判別するために用いる蛍光灯安定器の種類判別装置。
【請求項２】
前記測定装置において、結果を表示するために色の異なるＬＥＤと、断続音の間隔や音の高さの異なる信号を発信する手段とを用いて、検知結果の判定する手段を設けることを特徴とする請求項１に記載の蛍光灯安定器の種類判別装置。
【請求項３】
伸縮可能な棒状体の先端部に設けるセンサ部は、光検出用フォトトランジスタと、磁気検出用インダクタとの２種類の検出センサを組合わせて着脱可能に設け、任意の長さの棒状の保持部材に対して着脱可能とし、
測定の対象とする照明の高さに前記棒状の保持部材を用いて、検知作業に対応可能としたことを特徴とする請求項１または２に記載の蛍光灯安定器の種類判別装置。
【発明の詳細な説明】
【技術分野】
【０００１】
本発明は、既設の蛍光灯安定器の種類を容易に判別可能とする機構を有し、蛍光灯に近付けるのみで判別作業を容易に行い得るチェッカー装置に関する。
【背景技術】
【０００２】
従来より用いられている安定器式蛍光灯は、５０Ｈｚまたは６０Ｈｚ電源周波数の電源を用いていることであるから、電源周波数の２倍の周波数で明るさが変化するもので、一周期毎に明・暗を繰り返すために、光のちらつきが多い。これに対して、インバータ方式の蛍光灯は、前記いずれかの電源を用いても、その交流電流を直流に変換した後に高周波の電流を蛍光灯に流して点灯するので、光のちらつきが少ないという特徴を有する。
【０００３】
ここで、蛍光管の残光現象による光の強弱の変化の状態を説明するに、
低い周波数の場合には、その電源周波数が例えば５０Ｈｚの場合、光の明暗の周期が長いために、明暗の差が大きく現れて、ちらつきが大きく変化する。
【０００４】
これに対して、高い周波数の場合には、明暗の周期が短くなり、前記残光現象のため、常に光を発する傾向が高くなり、明暗差が小さくなる。
【０００５】
また、照明の省エネルギーを推進するためには、蛍光灯をインバータ化したものとすることが良いと言われており、この方式を用いる場合には、従来の安定器式蛍光灯に比較して、同じ明かるさで消費電力を約２０％削減できるものであるといわれる。そして、天井照明等に蛍光灯が非常に多数本使われている現状から、安定器式からインバータ式に変更することは、全体の省エネルギー効果は大きいものと考えられる。
【０００６】
安定器式の蛍光灯をインバータ方式のものに変更するためには、現在用いられている照明器具がいずれの方式のものであるかを正確に判別して、前述したように、インバータ方式の照明に変更する必要がある。
【０００７】
しかし、既設の照明器具には、安定器式と全く外観が類似するインバータ方式が用いられているものが多数あり、その判別のためには、照明器具の内部に設けている安定器を、直接目で見て判断することが求められている。なお、以下の説明において、電源周波数として、５０Ｈｚとして説明しているが、国内では６０Ｈｚの用いられている地域が半分あり、２種類の電源周波数のいずれを使用する場合の双方を、本発明においては、５０Ｈｚの例で説明しており、特に交流電源の周波数を限定しているものではない。
【０００８】
現在市販されているインバータ方式の装置には、直径の細い直管型の蛍光管が多く用いられており、これらの機種では、器具本体と蛍光管のそれぞれにはＨｆの表示を付したラベル表示がある。よって、前記Ｈｆ表示のみで判断すると、細い蛍光管でも、Ｈｆ表示有りはインバータ方式の装置として、Ｈｆ表示なしの太い蛍光管は全て従来安定器式と判断されている。
【０００９】
なお、古いインバータ方式の装置の蛍光管では、従来の安定器式と同じ太さの蛍光管が使用されていることがあり、この方式の蛍光灯では、古い安定器式照明器具の安定器のみを交換して、太い蛍光管に対応させた装置のままで、インバータ方式の装置に改造しているものである。
【００１０】
したがって、当然、このような装置では、Ｈｆ表示は付されてなく、天井に設置した蛍光管を床から見上げた状態では、蛍光管の太さとＨｆの表示がないことから、安定器式の装置と判断されることになり、点灯方式を間違って判断するとい事例が多く発生している。ところで、蛍光灯の省エネルギー化を推進するためには、従来の安定器式方式の機構を用いた器具のみを判別して見付け出し、インバータ方式の装置化の対象とする手順が必要である。
【００１１】
前述したような点灯方式の判別のためには、現状では、３〜４ｍの高さにある天井の蛍光灯で、その内部にある安定器を検査員が目で見て、適用されている方式を確認していることが多い。そのために、脚立を使って蛍光灯の器具の内部を覗き見るようにする手段を用いており、２人作業で不安定な姿勢を長時間続けなければならないことから、危険であり労力の負担が大きいものである。
【００１２】
本発明は、床面から蛍光灯に向けて、棒状のセンサーを近付けるのみで、瞬時に点灯方式を判別できるようにしているものであり、前述したように、蛍光灯のインバータ方式、従来の安定器式の区分を、操作棒の先に取付けたセンサーを蛍光灯に近付けるのみで、判別することができて、脚立等を用いずに、床面に立った作業員が、容易にしかも正確に判別できる装置を提供することを目的としている。
【特許文献１】特開２００５−２６７８６９
【発明の概要】
【発明が解決しようとする課題】
【００１３】
前記特許文献に開示されている技術手段は、蛍光灯の発光周波数と異なるシャッタ周波数で、前記蛍光灯の光を取り込む手段と、前記発光周波数と前記シャッタ周波数との周波数差による明暗のうなりを観察する手段とを用い、蛍光灯に用いられている安定器の種類を判定するものとして構成している。
【００１４】
また、前記うなりが観察されたなら、安定器は銅−鉄型であると判定し、うなりが観察されなかったならインバータ型であると判定するように構成している。
【００１５】
この例において、必要とする情報を検出するための素子として、蛍光灯の光を取り込む撮像素子等を用いている。
【００１６】
この装置を用いて安定器方式とインバータ方式の判別を行うために、
ａ：撮像素子にシャッター機能を持たせ、電源周波数の２倍より少し高い周波数（１０９Ｈｚ等）で開閉させ、発光周波数（商用周波数５０Ｈｚでは１００Ｈｚ）とのうなりを検知する。
【００１７】
ｂ：安定器とインバータのうなり周波数の違い、
・安定器方式では、商用周波数をそのまま用いているため、発光周波数とシャッター速度の差の低い周波数でうなりが生じる。
【００１８】
・インバータ方式では、高い周波数を用いているため、高い周波数でうなりが発生される。
【００１９】
ｃ：安定器とインバータの判定のためには、前記うなりの周波数の相違から、安定器方式かインバータ方式であるかを容易に判別できることになる。
【課題を解決するための手段】
【００２０】
前記従来例に開示されている装置を用いることで、蛍光灯の安定器の種類を容易に判定することができて、その判定に要する労力も軽減されることになるとされている。ところが、この例では、蛍光管に印加する電源周波数が高くなると、蛍光管の残光現象が影響するために、光の明暗差が小さくなり、撮像部等への信号入力が低くなるために、検出感度が低下して、正常な検出を行い得なくなる可能性が高くなる。さらに、近年のインバータの周波数が高くなる傾向では、検出が困難になると考えられる。
【００２１】
また、蛍光管に流れる電流は、放電電流であり、多くの高調波が含まれる。このため、明暗のうなり周波数が高調波の影響で変化し、判定精度の低下が懸念される。
【００２２】
前記課題を解決するために、本発明においては、次のような解決手段を提供することを目的としている。まず、本発明の蛍光灯安定器の種類判別装置においては、
伸縮可能な棒状体の先端部に設けたセンサ部に、光検出用フォトトランジスタと、磁気検出用インダクタの２種類の検出センサを配置し、前記センサ部からの信号線を判別装置に接続するコネクタとを設けた検知部と、
前記判別装置には、個々のセンサ部からの入力交流電圧値が一定の値を越えたとき、入力信号の周波数成分を出力側へ出力させる機能を持つシュミット回路を個々に配し、
前記光検出用フォトトランジスタから、前記シュミット回路へ入力される交流電圧が一定の値を越え、入力信号の周波数成分が出力側へ出力された時は、安定器式と判断し、
前記磁気検出用インダクタから、前記シュミット回路へ入力される交流電圧が一定の値を越え、入力信号の周波数成分が出力側へ出力された時には、インバータ式と判断する動作を行い、
前記判断結果にしたがって、表示部のＬＥＤ等を点灯して光により表示するか、もしくは音により表示する手段を設けた判別装置とを、組合わせて構成し、
任意の高さの位置に設置されている既設の蛍光灯の安定器の種類を判別するために用いている。
【００２３】
また、前記測定装置において、結果を表示するために色の異なるＬＥＤと、断続音の間隔や音の高さの異なる信号を発信する手段とを用いて、検知結果の判定する手段を設けることができる。
【００２４】
さらに、本発明においては、前記構成要件に加えて、
伸縮可能な棒状体の先端部に設けるセンサ部は、光検出用フォトトランジスタと、磁気検出用インダクタとの２種類の検出センサを組合わせて着脱可能に設け、任意の長さの棒状の保持部材に対して着脱可能とし、
測定の対象とする照明の高さに前記棒状の保持部材を用いて、検知作業に対応可能としたことも可能である。
【発明の効果】
【００２５】
前述したように構成している本発明の装置は、本装置を使用するに際しては、床面に立った作業員がから長い棒を用いて検知できるので、作業工程と時間とを大幅に短縮できて安全性にも特に配慮を必要としない。
【００２６】
また、本装置においては、光センサーと磁気センサーとの、２系統の信号を同時に受けるようにして、各々の独立した回路で判別条件を設定して信号処理したことで、判別結果に対する信頼性を高めることができる。
【００２７】
さらに、判別結果を表示する表示部のＬＥＤは、例えば、発光色の異なるオレンジと緑のＬＥＤを用いることで、容易に判別できるものとなる。また、点灯表示と組合わせてブザーを均す場合には、低周波数音と、高周波数音との断続音を用いて表示すること、または、断続音の間隔を異ならせることで、判別結果を間違えて判断させる危険性を無くすことができる。
【００２８】
その他に、本発明の特徴を列挙すると、本発明においては、次のような特徴がある。
【００２９】
・２つのセンサの検出した信号の大きさから判別するため、判定精度が高い。
【００３０】
・各種の周波数のインバータ式にも対応できる。
【００３１】
・磁気センサは、蛍光管の残光現象の影響がなく、判定結果の信頼性が高い。
【００３２】
・蛍光管が劣化し、ちらつきが増した場合も、判定精度が高い。
【図面の簡単な説明】
【００３３】
【図１】本発明で用いる手持ちの検知部材の検知部の構成を示す説明図である。
【図２】本発明の蛍光灯安定器の種類判別装置本体の外観を示す説明図である。
【図３】（ａ）、（ｂ）ともフォトトランジスタによる光検出の説明図である。
【図４】（ａ）、（ｂ）とも磁気センサによる磁気検出の説明図である。
【図５】本発明の判別装置の構成と回路部の説明図である。
【図６】本発明の装置を用いて試験した結果を示す表である。
【発明を実施するための形態】
【００３４】
本発明は、蛍光灯安定器の種類を容易に判断できるようにする機構を備えた、ハンディな携帯式の判別装置に関するもので、検知ヘッド部を天井等の高い位置や、人が近付き難い位置に設置している蛍光灯に近付けるだけで、容易に判断できるように構成している。  本発明の装置は、図１に示すような構成を有する検知部１０と、図２に示す判別部２０とを組合わせて、１つの検知装置として構成している。
【００３５】
なお、以下に説明する本発明の実施例において、磁気センサを用いることに関しては、例えば、蛍光管に電源周波数の電流を流した時に、その流された電流により、蛍光管外に交流磁界が形成され、これを磁気センサで検知することができる、という現象を利用している。前記磁気センサによる検知に際して、磁気センサからの出力電圧は、流れる電流が同じであっても、その周波数に比例して大きくなり、商用周波数を用いた場合には出力される電圧が小さく、インバータ方式の高い周波数交流電源では大きい値となるもので、前記式センサによる検知手段を用いることで、以下に説明するような手段を用いている。
【００３６】
本発明に説明する基本的な構造において、検出素子として、光センサと磁気センサとの２種のセンサを検知部に装備して、検知作業に用いるようにしている。すなわち、光センサとしては、従来より使用されているフォトトランジスタを用いるが、このセンサは、光を検知する半導体素子で、受信する光の強さに応じた出力電圧が得られる。
【００３７】
また、磁気センサとしては、電子部品として知られているドラム形インダクタを用いることができるもので、このセンサは、ドラム形フェライトの磁気材料にコイルを巻いたものである。
【００３８】
前記２つのセンサを用いる例で、それ等のセンサの性質を利用して、安定器方式とインバータ方式の蛍光灯を判断する。すなわち、次のような判断が行われるもので、
光センサ：フォトトランジスタの出力信号の変化の大きさは、電源周波数が低いほど大きく、高くなるほど減少する。この性質を利用して、出力信号の変化が大きい場合には安定器式と判断し、変化が小さい場合にはインバータ式と判断する。
【００３９】
磁気センサ：インダクタの出力電圧は、流れる電流が一定の場合、その流れる電流の周波数に比例するため、出力電圧が小さい場合には安定器式と判断し、出力が大きい場合にはインバータ式と判断する。
【実施例】
【００４０】
前記図１に説明する検知部１０は、安定器方式とインバータ式との２種の機種に対応させて、検知手段を設けた検知ヘッド部１１を、伸縮棒１２の先端部に設けて構成しているもので、前記伸縮棒１２の長さは、一般の建物の天井に設置している蛍光灯の高さ、もしくは、検知の対象とする建物の天井の高さに対応させている。そして、前記２つの検知手段から得られる情報を、オペレータが手持ちする装置の判別部に伝達する。
【００４１】
図２に示す例は、手持ちの装置として構成されるもので、検知部１０から伝達される検知情報は、長い信号ケーブルのコネクタ１３を、判別装置２０のコネクタ２２に接続し、前記判別装置２０に設けている判別回路を経て情報を処理して、蛍光灯の検知信号か安定器式からのものか、インバータ式からの信号かを判断し、対応するＬＥＤ２３Ａ、２３Ｂのいずれかを点灯すること、または、ブザー２４とＬＥＤ２３とを共通に動作させて表示させるようにしている。
【００４２】
前記図２に示す判別装置２０に関して、装置本体２１に設ける判定手段の構造と動作については、後でさらに説明するが、装置本体２１の一部には、ポケットテスター２７を支持させるスペースを設けている。このテスターは、磁気センサまたは光センサから出力される信号の周波数を測定するためのもので、その測定された周波数から、安定器式かインバータ式かを、検査員が判断するために用いる補助装置として説明している。
【００４３】
また、図示する装置本体２１の上部にはＬＥＤ２３Ａ、２３Ｂを、検知の対象とする安定器式とインバータ式に対応させてそれぞれ配置しており、その下部には電源スイッチ２５と、検知周波数切換スイッチ２６とを配置している。さらに、検知部材１０からの情報を入力するためのコネクタ２２を設けて、検知棒の出力コネクタとの間での接続を容易に行い得るようにする。
【００４４】
前述したように構成した検知部１０と、判別部２０とを組合わせて、天井に設置している蛍光灯を検査するためには、前記検知部１０の伸縮棒１２は、作業員の背丈を考慮しても、例えば、３〜５ｍ程度の長さを有するものであれば、最大６ｍくらいの高さの位置まで、測定できることになる。なお、前記伸縮棒１２の長さは、特に限定されるものではなく、その検査の対象とする場所に応じて、適当な長さのものとして構成すれば良いものでもある。また、前記伸縮棒１２は、特に高価なものではないことから、センサを設けるヘッド部１１を棒の先端部に対して着脱可能に構成して、その検査場所の天井の高さに応じて選定した棒の先端部に、前記ヘッド部を装着して試験に用いても良い。さらに、前記伸縮棒の長さに対応させて、コネクタ１３に至る信号ケーブルは、必要な補助線を追加して接続しても良いことは勿論である。
【００４５】
本発明の実施例において、蛍光灯の安定器の種類を判別するために使用しているセンサーとしては、図３に説明するように、蛍光管１から出力される光１Ａを検知するために、フォトトランジスタを用いた検知手段１６Ａを設ける。
【００４６】
また、図４に説明するように、蛍光管１の周囲に発生する磁気１Ｂを検知するために、磁気センサ１７による検知手段を設けている。
【００４７】
前記図３に説明するように、フォトトランジスタを用いた検知手段を構成する例では、同図（ａ）、（ｂ）に説明するように、蛍光管１から出力される光１Ａを、フォトトランジスタ１６Ａにより検知する。そして、その信号をオシロスコープ３５に設けているデイスプレイ３７に、その処理結果を波形で表示する。
【００４８】
この説明図では、５０Ｈｚ電源周波数で点灯させる従来の安定器方式の装置に対応させて、蛍光灯から出力される光を、フォトトランジスタを用いた検知手段を用いて、検知するようにしている。
【００４９】
前記オシロスコープ３５においては、ディスプレイ３７に図３（ａ）のフォトトランジスタ１６Ａの出力信号の波形を表示するもので、前記フォトトランジスタ１６Ａで受信した信号が、インバータ式からのものである場合には、ディスプレイ３７には光の強弱の変化が非常に小さい波形が表示されることになるので、その検知情報を見ただけでも、蛍光灯安定器の種類の判別を容易に行い得ることになる。
【００５０】
図４に説明する例においては、蛍光管の周囲に発生する磁気１Ｂを検知して、その情報を処理することにより、検知情報を表示する手段を備えた場合の、検知手段を説明している。この検知手段の例においては、図４（ａ）に示すように、コイル磁気センサー１７で受信する磁気を情報を、トランジスタ３６Ｂを設けた処理回路で増幅して、その出力信号をオシロスコープ３５のディスプレイ３７に表示させる。このように、インバータ式に対応させて磁気的な情報を、受信処理する方法を用いる場合に、安定器式方式の蛍光灯から出力される情報に対しては、同図（ｂ）に示すように出力電圧がほぼゼロとなるような情報が表示される。これに対して、インバータ方式の情報に対しては、非常に短い周期で４〜５Ｖの出力の高周波の波形が、表示部に表示されるものであり、その検査の対象とした蛍光灯が、インバータ式方式の装置であることが容易に判別できるものとなる。
【００５１】
前述したように、安定器式とインバータ式との２つの方式の蛍光灯に対して、検知部１０の検出ヘッド部１１に対して、従来の安定器式に対応させる検知手段としてのフォトトランジスタ１６と磁気センサ１７との、２つの検知手段とを設けることで対処することが可能となる。そして、前記２つのセンサからの情報を、オシロスコープで分析した結果から、蛍光灯の安定器の種類判別方法の具体化を図った例を以下に説明する。
【００５２】
前述したように、従来より使用されている安定器式蛍光灯は、５０Ｈｚ電源周波数の点灯では光のちらつきが多いが、インバータ式蛍光灯は５０Ｈｚ電源を直流変換後に高周波点灯しており、光のちらつきが少ないという特徴を持つ。
【００５３】
そこで、光センサーと磁気センサーとを蛍光灯安定器の種類の判別装置の検知部に近付けて、光のちらつきの差と点灯周波数の違いを、両センサからの検知情報に基づいて検知できれば、検知の対象とされる蛍光灯の、安定器式とインバータ式とのいずれかであること、つまり、蛍光灯の安定器の種類の違いを電気的に判別できることになる。
【００５４】
また、光センサーとしてフォトトランジスタ、磁気センサーとして０．２Ｈのコイルを使用して実験した結果、目的とする判別に十分に使用可能な、特徴を有する電気的データが、各々のセンサーから得られることが判明した。そして、得られる波形データから、従来安定器式とインバータ式との違いの判別は、電圧値の差として条件を設定すれば、解決が可能であると、発明者が推定したものである。
【００５５】
そこで、本発明の検知装置としては、図５に説明するように２種類の検知手段を、検出部のヘッドのセンサー部１５に設けておき、作業員の手持ちする判別部３０には、図２に示した切り換えスイッチと、２種類の情報を処理する機構とを設けて構成することが考えられた。つまり、前記判別部３０に設ける信号処理回路では、センサー部に配置している受信回路から伝達される信号を、２つの信号処理回路のシュミット判定回路３１をそれぞれ通して、センサからの入力交流電圧が２Ｖ以上となったとき、出力が出るように設定して、信号分周ゲート回路３２に向けて出力させる。前記信号分周ゲート回路３２においては、安定器式に対応させた信号の点滅・断続用の信号と、発信回路３４から出力された高い周波数の信号を、信号分周ゲート回路３２で分周し、比較的低い５００Ｈｚ周波数のブザー信号を出力して、安定器式に対応するＬＥＤを発光させるか、あるいはブザーの音と光とを用いて作業員に知らせるようにする。
【００５６】
また、センサー部１５の磁気検出コイル１７で受信した磁気的な信号は、シュミット判定回路３１ａを通して処理し、センサからの入力交流電圧が２Ｖ以上となったとき、出力が出るように設定し、信号分周ゲート回路３２ａに向けて出力させる。前記信号分周ゲート回路３２ａにおいては、インバータ式に対応させた信号の点滅・断続用の信号と、発信回路３４から出力された高い周波数の信号を、信号分周ゲート回路３２で分周し、前記ブザー用信号より高い１５００Ｈｚ程度の可聴周波数のブザー信号を出力させる。そして、インバータ式であることを表示する手段を用いて、ブザーの音と、光とを単独で、または２つの情報を同時に用いて作業員に知らせるようにする。
【００５７】
なお、前記表示部のＬＥＤは、例えば、発光色の異なるオレンジと緑のＬＥＤを用いることで、容易に判別できるものとなる。また、点灯表示と組合わせてブザーを均す場合には、低周波数音と、高周波数音との断続音を用いて表示すること、または、断続音の間隔を異ならせることで、判別結果を間違えて判断させる危険性を無くすことができる。
【００５８】
本装置においては、光センサーと磁気センサーとの、２系統の信号を同時に受けるようにして、各々の独立した回路で判別条件を設定して信号処理したことで、判別結果に対する信頼性を高めている。
【００５９】
前記図５に説明するような検知装置において、光検出用フォトトランジスタ１６と、磁気検出用コイル１７の２つの検知手段としては、市販されている各種のセンサ類から、蛍光灯の安定器の種類の検知を行うための最も適した機能を、良好に発揮できる種類のものを用いることが可能である。
【００６０】
また、各センサからの出力信号の周波数を、周波数計により測定し測定された周波数から、検査員が蛍光灯の安定器を判別する方法もある。
【００６１】
前記図５に示されるような情報分析手段を組合わせて設けて、蛍光灯の情報を得られる装置は、図１、２に示すような２つの機構を組合わせて構成して、以下のように取り扱うことができる。
【００６２】
Ａ：センサー棒部のコネクターを、判別装置側のコネクターに接続して組合わせ、メインスイッチをＯＮにする。
【００６３】
Ｂ：センサー棒を天井の照明の高さに伸ばし、棒の先端部のセンサーを判別対象の蛍光灯に近付ける。
【００６４】
Ｃ：天井の照明の蛍光灯にセンサー部が接近すると、瞬時にＬＥＤの発光とブザーの音で蛍光灯の方式の判別結果を表示する。
【００６５】
Ｄ：従来式の蛍光灯であることを検知した場合には、例えば、オレンジＬＥＤが点滅表示され、５００Ｈｚの低い断続音が出力されるように構成する。
【００６６】
Ｅ：検知結果がインバータ式の装置であると判断された場合には、グリーンＬＥＤを点滅表示し、約１５００Ｈｚの高い断続音を出力させる。
【００６７】
Ｆ：周波数出力端子に周波数を読めるテスターを接続して設ければ、蛍光灯の点灯周波数を読み取ることができる。
【００６８】
前記図５に示す検知装置において、その装置を働かせて必要とする情報を得るために、基本的な構成としては、次のような要件を満足させることが望まれる。つまり、
ａ：蛍光灯に近付けて情報を信号として得るためのセンサ部と、前記センサからの信号を入力して判別する回路部とを分けて設ける場合と、センサ部に全てを組み込んで設ける方法もある。
【００６９】
ｂ：センサー部にフォトトランジスタと磁気検出コイルとを並べて設け、蛍光灯に検知部を接近させると同時に、２種類の信号を取り出すようにする。
【００７０】
ｃ：センサー支持棒は、天井の照明の設置高さに対応させた３〜５ｍに対処可能に、伸縮可能なものとして、形態できるものを用いる。
【００７１】
ｄ：シュミット回路は、センサからの入力交流電圧が一定の電圧を越えた時、入力信号の周波数成分を出力側へ出力させる処理をする。
【００７２】
ｅ：検知部のセンサーを接近させた後、判定回路で瞬時に条件を判定し、判定結果を断続音とＬＥＤ点滅で表示する。
【００７３】
ｆ：点滅信号を分周した可聴周波数音または断続音で、判別結果を聞き分けしやすいものとして表示する。
【００７４】
そして、前記ａ〜ｆの条件を、全て満足させ得るような装置として提供できれば、操作性の良好な装置を提供できるものとなる。
【００７５】
さらに、前記図２に示すように、判別部２０に組合わせるポケットテスタ２７を、周波数測定モードとし、検出された信号周波数により表示できれば、後で説明する検知情報の不明確な検知対象物に対しても、その表示部に表示された情報に基づいて、容易に判断できるデータを得ることが可能になると思われる。
【００７６】
前記図１、２に説明した装置に、図５の機能を持たせた装置を構成し、その装置を用いて、実際に使用されている蛍光灯の安定器の種類を判別する試験を行ったところ、図６に示すような結果が得られた。図６に示すデータは、蛍光灯を使用している事業所等を適宜選択して試験を行ったもので、安定器式に対応するＬＥＤが点灯して結果が表示されて、安定器式として判断されたものと、インバータ式の表示蛍光管のみが点灯されて、インバータ式と判定されたものの他に、両方のＬＥＤが表示されたものが一部にあった。その両方の情報が表示された蛍光灯では、さらに、波形分析を行ったところ、劣化品の出力電圧変動の影響を受けて、光のちらつきが大きく劣化したインバータ方式の照明であることが判明した。したがって、安定器式を表示するＬＥＤが単独で点灯されたもの以外は、インバータ式を表示しているものと考えることができるものとなった。
【００７７】
前述したように構成した本発明の装置では、検知の作業員に熟練した技能を要求することがなく、誰でも簡単に操作できて、必要な情報を容易に得ることが可能となる。
【００７８】
また、装置を小型軽量のものとして構成することができて、作業性・運搬性が良好で、道具としての携帯性に優れている。
【００７９】
従来の判別作業では、脚立等を使用しての高所作業を行うことが必要であったが、本装置を使用する場合には、床面から長い棒を用いて検知できるので、作業工程と時間とを大幅に短縮できて、安全性にも特に配慮を必要としない。例えば、天井高さが３．５ｍで、４０Ｗ２灯式の照明１台を判別する場合に、従来の脚立を用いた作業を行う時には、２人作業で１．８ｍの脚立を用いて約３０分の時間を消費していた。これに対し、本発明の方式では、１人作業で約６秒で終了できた。
【００８０】
従来の判別作業では、照明の下部にあるテーブルや備品・機材等を移動させて、脚立を立てていたことで、塵埃の発生や、騒音が発生する等の問題があった。これに対して、本発明の装置を使用する際には、作業員が照明の下部のスペースに入れると、少し離れた場所でも目標に到達できるので、騒音もなく誰の邪魔にもならない。
【００８１】
インバータ式蛍光灯において、直流電源部の劣化品を検出できる。この場合には、劣化品の出力電圧変動の影響を受けて、光のちらつきとなり、検出信号表示部の２種のＬＥＤが点灯されるという判別結果が表示されることで判断できる。
【符号の説明】
【００８２】
１    蛍光灯、  １０    検知部、  １１    検出ヘッド部、  １２    伸縮棒、  
１３    コネクタ、  １５    センサ部材、  １６    光検出用フォトトランジスタ、  １７    磁気検出用インダクタ、  ２０    判別装置、  ２１    本体、
２３    ＬＥＤ、  ２４    ブザー、  ２５    電源スイッチ、
２６    周波数出力端子、  ２７    ポケットテスタ、  ３０    判別装置回路部、
３１    シュミット判定回路、  ３２    信号分周ゲート回路、
３３    音・ＬＥＤ表示部、  ３５    オシロスコープ、  ３６    トランジスタ、
３７    ディスプレイ。
【図１】
2010231932.tif 000003
【図２】
2010231932.tif 000004
【図３】
2010231932.tif 000005
【図４】
2010231932.tif 000006
【図５】
2010231932.tif 000007
【図６】
2010231932.tif 000008